【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  映像情報や音響情報を含む情報コンテンツを、コンテンツの局所的な状態を表現するローカル情報と、所定範囲のローカル情報に共通に作用するヘッダ情報で構成するように情報源符号化して記録媒体上に記録する情報記録方法において、
情報源符号化したデータを一定長毎に区切ってパック化するステップと、
重要なヘッダ情報を含むパックを選択して冗長化するステップと、
一定数のセクタをブロック化し、該ブロックを単位として誤り訂正符号化するステップと、
前記冗長化したパックのデータを複数の前記ブロック中の所定のセクタに分散して割り当てるステップと
を有する情報記録方法。
【請求項２】  前記冗長化するステップは、前記重要ヘッダ情報を含むパックを、前記複数の前記ブロック中の所定のセクタに重複して記録するステップを含み、
これにより、前記重要ヘッダ情報を記録した前記複数のブロックのうちの予め定めた個数のブロックが再生不能となっても、他のブロックから、前記重要なヘッダ情報を得ることを可能とした
ことを特徴とする請求項１に記載の情報記録方法。
【請求項３】  前記冗長化するステップに第２の誤り訂正符号化を行うステップを含み、
これにより、前記冗長化したパックを割り当てた前記複数のブロックのうちの予め定めた個数のブロックが再生不能となっても、前記重要なヘッダ情報を含むパックを復元可能とした
ことを特徴とする請求項１に記載の情報記録方法。
【請求項４】  映像情報や音響情報を含む情報コンテンツを、コンテンツの局所的な状態を表現するローカル情報と、所定範囲のローカル情報に共通に作用するヘッダ情報で構成するように情報源符号化して記録した情報記録媒体において、
情報源符号化したデータを一定長毎に区切ってパック化し、重要なヘッダ情報を含むパックを選択して冗長化し、一定数のセクタからなるブロックを単位として誤り訂正符号化し、前記冗長化したパックのデータを複数の前記ブロック中の所定のセクタに分散して配置した情報記録媒体。
【請求項５】  前記冗長化が、前記重要ヘッダ情報を含むパックを、前記複数の前記ブロック中の所定のセクタに重複して記録することを含み、
これにより、前記重要ヘッダ情報を記録した前記複数のブロックのうちの予め定めた個数のブロックが再生不能となっても、他のブロックから、前記重要なヘッダ情報を得ることを可能とした
ことを特徴とする請求項４に記載の情報記録媒体。
【請求項６】  前記冗長化が第２の誤り訂正符号化を含み、これにより、前記冗長化したパックを割り当てた前記複数のブロックのうちの予め定めた個数のブロックが再生不能となっても、前記重要なヘッダ情報を含むパックを復元可能とした
ことを特徴とする請求項４に記載の情報記録媒体。
【請求項７】  映像情報や音響情報を含む情報コンテンツを、コンテンツの局所的な状態を表現するローカル情報と、所定範囲のローカル情報に共通に作用するヘッダ情報で構成するように情報源符号化して記録媒体上に記録する情報記録装置において、
情報源符号化したデータを一定長毎に区切ってパック化するパック化手段と、
重要なヘッダ情報を含むパックを選択して冗長化する冗長化手段と、
一定数のセクタをブロック化し、該ブロックを単位として誤り訂正符号化する誤り訂正符号化手段と
を備え、
前記冗長化手段は、前記冗長化したパックのデータを複数の前記ブロック中の所定のセクタに分散して割り当てるようにした情報記録装置。
【請求項８】  前記冗長化手段は、前記重要ヘッダ情報を含むパックを、前記複数の前記ブロック中の所定のセクタに重複して記録し、
これにより、前記重要ヘッダ情報を記録した前記複数のブロックのうちの予め定めた個数のブロックが再生不能となっても、他のブロックから、前記重要なヘッダ情報を得ることを可能とした
ことを特徴とする請求項７に記載の情報記録装置。
【請求項９】  前記冗長化手段が第２の誤り訂正符号化を行う手段を含み、該第２の誤り訂正符号化を行う手段は、前記冗長化したパックを割り当てた前記複数のブロックのうち予め定めた個数のブロックが再生不能となっても、前記重要なヘッダ情報を含むパックを復元することができる請求項７に記載の情報記録装置。
【請求項１０】  請求項４に記載の情報記録媒体を再生する情報再生装置であって、
前記誤り訂正符号を復号してブロックを再生する誤り訂正復号化手段と、
前記ブロック中の所定のセクタから前記冗長化したパックのデータを選別する手段と、
前記重要なヘッダ情報を含むパックを復元する復元手段と
を備え、
該復元手段は、前記ブロックの再生ができないとき、冗長化したパックのデータを分散して配置した前記複数のブロック中の他のブロックのデータから該パックのデータを復元するようにした情報再生装置。
【請求項１１】  前記情報記録媒体が請求項５に記載のものであり、
前記復元手段が、前記重要ヘッダ情報を記録したブロックの再生ができないとき、他のブロックから得られる前記重要なヘッダ情報を代用することを特徴とする請求項１０に記載の情報再生装置。
【請求項１２】  前記情報記録媒体が請求項６に記載のものであり、
前記復元手段が、前記第２の誤り訂正符号を復号する第２の誤り訂正復号化手段を含むことを特徴とする請求項１０に記載の情報再生装置。
【手続補正２】
【補正対象書類名】明細書
【補正対象項目名】００１３
【補正方法】変更
【補正の内容】
【００１３】
【課題を解決するための手段】
請求項１に記載の情報記録方法は、
映像情報や音響情報を含む情報コンテンツを、コンテンツの局所的な状態を表現するローカル情報と、所定範囲のローカル情報に共通に作用するヘッダ情報で構成するように情報源符号化して記録媒体上に記録する情報記録方法において、
情報源符号化したデータを一定長毎に区切ってパック化するステップと、
重要なヘッダ情報を含むパックを選択して冗長化するステップと、
一定数のセクタをブロック化し、該ブロックを単位として誤り訂正符号化するステップと、
前記冗長化したパックのデータを複数の前記ブロック中の所定のセクタに分散して割り当てるステップと
を有するものである。
【手続補正３】
【補正対象書類名】明細書
【補正対象項目名】００１６
【補正方法】変更
【補正の内容】
【００１６】
請求項４に記載の情報記録媒体は、
映像情報や音響情報を含む情報コンテンツを、コンテンツの局所的な状態を表現するローカル情報と、所定範囲のローカル情報に共通に作用するヘッダ情報で構成するように情報源符号化して記録した情報記録媒体において、
情報源符号化したデータを一定長毎に区切ってパック化し、重要なヘッダ情報を含むパックを選択して冗長化し、一定数のセクタからなるブロックを単位として誤り訂正符号化し、前記冗長化したパックのデータを複数の前記ブロック中の所定のセクタに分散して配置したものである。
【手続補正４】
【補正対象書類名】明細書
【補正対象項目名】００１９
【補正方法】変更
【補正の内容】
【００１９】
請求項７に記載の情報記録装置は、
映像情報や音響情報を含む情報コンテンツを、コンテンツの局所的な状態を表現するローカル情報と、所定範囲のローカル情報に共通に作用するヘッダ情報で構成するように情報源符号化して記録媒体上に記録する情報記録装置において、
情報源符号化したデータを一定長毎に区切ってパック化するパック化手段と、
重要なヘッダ情報を含むパックを選択して冗長化する冗長化手段と、
一定数のセクタをブロック化し、該ブロックを単位として誤り訂正符号化する誤り訂正符号化手段と
を備え、
前記冗長化手段は、前記冗長化したパックのデータを複数の前記ブロック中の所定のセクタに分散して割り当てるようにしたものである。